(57)【要約】【課題】ヒンジ部の回動に伴ってボス部が押下することによりスイッチを入力する場合に、ボス部とスイッチとの接触時における衝突音や、スイッチの可動部とスイッチ本体との接触時における衝突音を低減でき、部品点数も少なく安価に製造することのできるキースイッチ入力装置を提供する。【解決手段】回路基板１上にスイッチ２が設けられ、スイッチ２の上方から操作キー３を押下することによって入力するキースイッチ入力装置１００は、一端部で操作キー３を支持し、他端部を中心に上下に回動可能なヒンジ部４と、操作キー３の下面に設けられヒンジ部４の回動に伴ってスイッチ２を押下するボス部６とを備えている。また、スイッチ２のボス部６に接触する接触面６aが平坦面であり、ボス部６のスイッチ２に接触する先端面２１aが、接触面２１aと平行に接触するように傾斜している。【選択図】図２
2006155996.tif 000002
【特許請求の範囲】
【請求項１】
回路基板上にスイッチが設けられ、前記スイッチの上方から操作キーを押下することによって入力するキースイッチ入力装置において、
一端部で前記操作キーを支持し、他端部を中心に上下に回動可能なヒンジ部と、前記操作キーの下面に設けられ前記ヒンジ部の回動に伴って前記スイッチを押下するボス部とを備え、
前記スイッチの前記ボス部に接触する接触面が平坦面であり、
前記ボス部の前記スイッチに接触する先端面が、前記接触面と平行に接触するように傾斜していることを特徴とするキースイッチ入力装置。
【発明の詳細な説明】
【技術分野】
【０００１】
本発明は、キースイッチ入力装置に関する。
【背景技術】
【０００２】
従来より、電気機器等に使用されるキースイッチ入力装置は、回路基板上にスイッチが設けられ、スイッチの上方を操作キーが嵌め込まれた操作カバーによって覆い、操作キーを押下することによってスイッチに接触してスイッチを入力する構成とされている。また、操作キーのストローク時に操作キーとスイッチとが確実に接触し、操作キーの潜り込みの発生を防止する手段として、操作キーとスイッチとの接触面にリブ状の部材を設けたり、摩擦係数の高い部材を貼り付けたり、さらには、凹凸形状部を形成してこれらが嵌合するように構成したものが知られている（例えば、特許文献１参照）。
ところで、このようなキースイッチ入力装置では、操作キーがスイッチを押圧して接触した際に、操作キーとスイッチとの接触部分で衝突音が生じることがあった。また、スイッチ自体においても、ボスが接触することで上下に可動する可動部が、スイッチ本体に衝突した際に衝突音が生じることがあった。すなわち、スイッチの可動部を押圧する角度が所定角度を超えると、可動部がスイッチ本体に係合し、さらに押圧されて、その係合が外れると可動部は勢いよく沈んでスイッチ本体に衝突して衝突音が発生する。
【０００３】
そこで、操作キーがスイッチを押圧して接触した際の、これらの衝突音を低減する方法として、操作キーとスイッチとの材質をそれぞれ変えたり、接触部分の接触面積を少なくすることによって衝突音を低減させる方法が開示されている（例えば、特許文献２、３参照）。
【０００４】
一方、図３(a)、(b)に示すように、ヒンジ部４Ａの一端部に固定リブ５Ａを取り付け、他端部に操作キー３Ａを設け、さらに、操作キー３Ａの下面にボス部６Ａを設け、ボス部６Ａの下方に配置されたスイッチ２Ａを、固定リブ５Ａを中心としてヒンジ部４Ａを下方に回動することによって、ボス部６Ａがスイッチ２Ａに接触して入力するように構成したヒンジ付きのキースイッチ入力装置１００Ａが知られている（例えば、特許文献４参照）。
さらに、図示しないが、ボス部の下端部に補助部品を設け、補助部品を介してスイッチを垂直方向から押圧する装置も一般的である。
【特許文献１】特開２００４−８７１８４号公報
【特許文献２】特開平１１−７８６４号公報
【特許文献３】特開平５−１９００５２号公報
【特許文献４】特開平１１−１４９８４５号公報
【発明の開示】
【発明が解決しようとする課題】
【０００５】
しかしながら、上記図３(a)に示す従来のキースイッチ入力装置１００Ａでは、固定リブ５Ａを中心としてヒンジ部４Ａ及びボス部６Ａが回動するため、固定リブ５Ａとスイッチ２Ａまでの間の距離Ｘが長くなる程、図４(a)、(b)に示すように、ボス部６Ａの回転角度Ｙが大きくなるため、ボス部６Ａとスイッチ２Ａとの接触時における衝突音や、スイッチ２Ａの可動部２１Ａとスイッチ本体２２Ａとの接触時における衝突音が大きくなるという問題があった。なお、図４は、ヒンジ部４Ａ及びボス部６Ａを、固定リブ５Ａを中心として回動した際の軌跡を示しており、符号ｍは操作キー３Ａのストローク移動量、符号ｎはボス部６Ａの水平方向の移動量を示している。
また、スイッチ２Ａの上面（すなわち、ボス部６Ａに対する接触面２１Ａa）が平坦面で、ボス部６Ａの先端面６Ａaがこのスイッチ２Ａの接触面２１Ａaに対して平行となっているので、固定リブ５Ａを中心としてヒンジ部４Ａが回動した際に、図３(b)に示すように、ボス部６Ａはその先端面６Ａaの一部がまずスイッチ２Ａの接触面２１Ａaに接触して押圧していくので、スイッチ２Ａが斜めに押下される。そのため、スイッチ２Ａを確実に押下して入力することができず、入力ミス等の原因となることがあった。
さらには、補助部品を介して操作キーを押下する装置においては、補助部品等を使用するため部品点数が増え、コスト高となるという問題もあった。
本発明は、上記事情に鑑みてなされたもので、ヒンジ部の回動に伴ってボス部が押下することによりスイッチを入力する場合に、ボス部とスイッチとの接触時における衝突音や、スイッチの可動部とスイッチ本体との接触時における衝突音を低減でき、部品点数も少なく安価に製造することのできるキースイッチ入力装置を提供することを目的としている。
【課題を解決するための手段】
【０００６】
上記課題を解決するため、請求項１の発明は、回路基板上にスイッチが設けられ、前記スイッチの上方から操作キーを押下することによって入力するキースイッチ入力装置において、
一端部で前記操作キーを支持し、他端部を中心に上下に回動可能なヒンジ部と、前記操作キーの下面に設けられ前記ヒンジ部の回動に伴って前記スイッチを押下するボス部とを備え、
前記スイッチの前記ボス部に接触する接触面が平坦面であり、
前記ボス部の前記スイッチに接触する先端面が、前記接触面と平行に接触するように傾斜していることを特徴とする。
【発明の効果】
【０００７】
本発明に係るキースイッチ入力装置によれば、ヒンジ部の一端部でキーが支持され、操作キーの下面にボス部が設けられ、ヒンジ部の他端部を中心に上下に回動させることによって、ボス部の傾斜して形成された先端面がスイッチの接触面と平行に接触する。そのため、従来のように、ヒンジ部とスイッチとの間の距離が長く、ボス部の回転角度が大きい場合でも、ボス部とスイッチとの接触時における衝突音を低減することができる。
また、ヒンジ部の他端部を中心としてヒンジ部を回動させた際に、ボス部の先端面によってスイッチの接触面が斜めに押下されることがなく、スイッチの接触面全体が垂直に押下される。そのため、確実にスイッチを押下して入力することができ、入力ミス等の原因を防止することができる。
また、従来のように補助部品等を使用する場合に問題とされていた部品点数の増加及びコスト高の点についても解消することができる。
【発明を実施するための最良の形態】
【０００８】
以下、本発明の実施の形態について図面を参照して説明する。
図１は、本発明のキースイッチ入力装置の斜視図、図２(a)は、本発明のキースイッチ入力装置の概略を示した側面図、図２(b)は図２(a)の状態から操作キーを押下した状態を示している。
図１、図２に示すように、本発明に係るキースイッチ入力装置１００は、回路基板１上にタクトスイッチ２が設けられ、タクトスイッチ２の上方から操作キー３を押下することによって入力する構成とされている。このキースイッチ入力装置１００は、一端部に操作キー３が設けられ、他端部を中心に上下に回動可能なヒンジ部４と、ヒンジ部４の他端部に設けられてヒンジ部４を支持する支持軸５と、操作キー３の下面に設けられてヒンジ部４の回動に伴ってタクトスイッチ２を押下するボス部６とを備えている。
【０００９】
回路基板１上に設けられたタクトスイッチ２は、ボス部６に接触されて上下に可動する可動部２１と、回路基板１上に設けられて可動部２１がボス部６に押圧されることによって係合し、さらに押圧されることによってその係合が外れて勢いよく沈んで衝突するスイッチ本体２２とを備えている。可動部２１の上面（すなわち、後述するボス部６に対する接触面２１a）は、回路基板１面と平行な平坦面とされている。
【００１０】
一方、回路基板１上から立設された支持軸５は、その上端部がヒンジ部４に連結されている。ヒンジ部４は支持軸５に対して略垂直となるように設けられ、一端部に操作キー３が取り付けられている。そして、操作キー３は、装置本体（図示略）に形成された開口部（図示略）からその一部が外部に突出するように開口部に嵌め込まれている。
この操作キー３の下面には支持軸５と平行となるようにボス部６が設けられている。
【００１１】
ボス部６は、略四角柱状をなしており、その先端面６aがタクトスイッチ２の可動部２１の接触面２１aと平行に接触可能なように接触面２１aに対して傾斜して形成されている。
なお、ボス部６の先端面６aの接触面２１aに対する傾斜角度Ｚは、支持軸５からボス部６までの長さやボス部６と接触面２１aまでの距離に応じて変わるので、特に規定せず、ボス部６を回動させて接触させた際に平行に接触する角度となるように適宜設定する。
【００１２】
次に、本発明に係るキースイッチ入力装置１００の作用について説明する。
図２(a)に示すように、操作キー３を押下すると、支持軸５を中心としてヒンジ部４の一端部に設けられたボス部６が下方に回動し、タクトスイッチ２の可動部２１の接触面２１aに接触する。このとき、図２(b)に示すように、ボス部６の先端面６aが可動部２１の接触面２１aに対して平行となるように接触する。すなわち、ボス部６の先端面６a全体が可動部２１の接触面２１aに略同時に接触して垂直に押圧することになる。したがって、従来のようにボス部６Ａの先端面６Ａaが可動部２１Ａの接触面２１Ａaに対して平行とした場合は、ボス部６Ａの先端面６Ａaは、その一部がまず可動部２１Ａの接触面２１Ａaに接触して、その後、回動に伴って、その他の接触面２１Ａaが接触し、接触に際して時間差が生じるため、ボス部６Ａの先端面６Ａaとタクトスイッチ２Ａの接触面２１Ａaとが平行に接触しない。その結果、タクトスイッチ２Ａが斜めに押圧されることがあったが、上述のようにボス部６の先端面６aを傾斜させることによってタクトスイッチ２が斜めに押下されることもない。
【００１３】
以上、本発明の実施の形態のキースイッチ入力装置１００によれば、ヒンジ部４の一端部で操作キー３が支持され、操作キー３の下面にボス部６が設けられ、ヒンジ部４の他端部を中心に上下に回動させることによって、ボス部６の傾斜して形成された先端面６aがスイッチ２の接触面２１aと平行に接触する。そのため、ヒンジ部４とスイッチ２との間の距離が長く、ボス部６の回転角度が大きい場合でも、ボス部６とスイッチ２との接触時における衝突音を低減することができるとともに、スイッチ２の可動部２１とスイッチ本体２２との接触時における衝突音を低減することができる。
また、ヒンジ部４の他端部を中心としてヒンジ部４を回動させた際に、ボス部６の先端面６aによってスイッチ２の接触面２１aが斜めに押下されることがなく、接触面２１a全体が垂直に押下されるため、確実にスイッチ２を押下して入力することができ、入力ミス等の原因を防止することができる。
また、ボス部６の先端面６aを傾斜させることによって、部品点数を増加させることなく、容易に製造でき、コスト面でも有利である。
【００１４】
なお、本発明の実施の形態は、上記実施の形態に限定されるものではなく、その要旨を変更しない限り、適宜変更可能である。
例えば、タクトスイッチ２や操作キー３等の形状は上記形状に限らず、変更しても良い。また、ボス部６においても先端面６aが上述のように傾斜していればその他の部分は特に限定しない。
【図面の簡単な説明】
【００１５】
【図１】本発明の実施の形態を示すためのもので、キースイッチ入力装置の斜視図である。
【図２】同、(a)はキースイッチ入力装置の概略側面図、(b)は(a)の状態から操作キーを押下した状態を示す概略側面図である。
【図３】従来例を示すためのもので、(a)はキースイッチ入力装置の概略側面図、(b)は(a)の状態から操作キーを押下した状態を示す概略側面図である。
【図４】同、操作キーのストローク量とボス部の水平方向の移動量との関係を示した図であり、(a)はヒンジ部とタクトスイッチまでの距離が大きい場合、(b)はヒンジ部とタクトスイッチまでの距離が小さい場合を示した図である。
【符号の説明】
【００１６】
１  回路基板
２  タクトスイッチ（スイッチ）
３  操作キー
４  ヒンジ部
６  ボス部
６a  先端面
２１a  接触面
１００  キースイッチ入力装置
【図１】
2006155996.tif 000003
【図２】
2006155996.tif 000004
【図３】
2006155996.tif 000005
【図４】
2006155996.tif 000006